(57)【要約】      （修正有）【課題】厚みのある部分布団の上端縁部を膨出してその連結部上に横臥しても違和感のない快適な睡眠が可能で、移動時等には小さな部分布団に分離出来る連結可能な布団の提供。【解決手段】  互いに対向する略長方体の一方、又は他方の部分布団１ａ、１ｂの表面の少なくとも一辺に形成されたヘム２、２´と、夫々のヘム２，２´に沿って取り付けられスライドファスナー１５を形成する歯列１６ｆ，１７ｆを夫々の一方端に有する一対の帯状体１６，１７を分離して備えた連結可能な一方、又は他方の部分布団１ａ、１ｂとであって、各ヘム２，２´は各部分布団本体から膨出部２ａ，２ａ´を形成され、前記スライドファスナー１５を形成する歯列１６ｆ，１７ｆを夫々の一方端に有する夫々の帯状体１６，１７の夫々の他方端１６ｃ、１７ｃが前記膨出部２ａ，２ａ´の下側に沿って取付けられたことを特徴とする連結可能な部分布団１ａ，１ｂ。【選択図】  図２
2007082669.tif 000002
【特許請求の範囲】
【請求項１】
略長方体の一方の部分布団の表面の少なくとも一辺に形成されたヘムと、前記一方の部分布団に対向する、略長方体の他方の部分布団の表面の少なくとも一辺に形成されたヘムと、夫々のヘムに沿って取り付けられスライドファスナーを形成する歯列を一方端に有する一対の帯状体を分離して備えた連結可能な、一方の部分布団と、他方の部分布団とであって、各ヘムは部分布団本体から膨出部を形成され、前記スライドファスナーを形成する歯列を一方端に有する夫々の帯状体の他方端が前記膨出部の下側に沿って取付けられたことを特徴とする連結可能な部分布団。
【請求項２】
前記膨出部の下側に沿って取付けられている前記スライドファスナーを形成する各々の前記歯列を一方端に有する夫々の前記帯状体の下方に、雌雄ファスナーを形成する雌ファスナーと雄ファスナーとが、互いに対向当接し得る各マチの位置に分離して取付けられることを特徴とする請求項１に記載の連結可能な一方の部分布団と他方の部分布団。
【請求項３】
一方の部分布団と他方の部分布団とを、対向する各ヘムの膨出部とを互いに当接させると共に、上下二方向の連結部材にて連結してなることを特徴とする大型の布団。
【発明の詳細な説明】
【技術分野】
【０００１】
本発明は、寝具の布団に関し、詳しくは連結部を有し同様な構成の部分布団を複数連結可能として大型の布団を形成することに関する。
【背景技術】
【０００２】
近年、生活様式が欧風化されて、体位も向上して寝具についても、例えばマットレス（厚い西洋風の敷布団）や和風の敷布団においてセミダブルやダブルサイズ、クイーンサイズ、キングサイズと言った大型のものが用いられる場合が多くなってきている。
ところでベッドのマットレスにしても敷布団にしても、大型化すると移動や収納や布団干し等の場合には、一人での作業が大変であり、そのために連結可能な部分布団を連結させて大型の布団にしたり、大型の布団を部分布団に分離できたり、小さく折畳めるもの等が求められるようになり、従来、多くの連結可能な布団が提案されている。
【０００３】
例えば、部分布団の端部を、互いにスライドファスナーにて連結して大型の布団を形成させる。そして、大型の布団を移動させる時には、スライドファスナーを分離させて部分布団に分解して運ぶことが出来る大型の布団があったり、或いは、大型の布団がＺ字形に折畳めるように、前後に連結する三つの部分布団において、中心となる部分布団の前後に各々部分布団をスライドファスナーにて連結し、前方のスライドファスナーは互いに当接する部分布団の上方縁に取付けられ、後方のスライドファスナーは互いに当接する部分布団の下方縁に取付けて、Ｚ字形に折畳むことが可能となる大型の布団があった。
【０００４】
尚、本願発明に関連する公知技術として次の特許文献１及び特許文献２を挙げることが出来る。
【０００５】
【特許文献１】実公昭３６―１８５６３号公報
【特許文献２】実用新案登録第３０８９９２２号公報
【発明の開示】
【発明が解決しようとする課題】
【０００６】
上述の如く、従来技術に係るスライドファスナーにより部分布団を連結して大型の布団を形成させる布団では、たといシーツ等が使われていたとしても、スライドファスナーが使用者の体に当接し不快感があつたり、或いは、Ｚ字形に折畳み可能な大型の布団の繋ぎ部のスライドファスナーが部分布団の厚みの下方に存在する場合には、使用時に身体が連結部に嵌り込みやはり不快感があった。
【０００７】
このため、本来快適性が求められる睡眠用の布団においてスライドファスナーが使用者の体に当接し不快感があつたり、Ｚ字形に折畳み可能な大型の布団の繋ぎ部に身体が嵌り込みやはり不快感があったりすることを避けるために、布団に横臥する位置をずらせたりしても、睡眠時の寝返り等で知らず知らずに不快感の生ずる位置に来てしまうと言うような不具合があった。
【０００８】
本発明は、このような点に鑑みてなされたものであり、その目的は、部分布団を連結して大型の布団を形成する場合、厚みのある部分布団を、上下の二方向にて連結部材（夫々結合と分離可能）を設け、その部分布団の上端縁部を膨出して上方寄りの連結部材を覆うようにし、その連結部上に横臥しても違和感のない快適な睡眠が可能で、移動時等には小さな部分布団に分離出来る連結可能な部分布団を提供することにある。
【課題を解決するための手段】
【０００９】
上述の目的を達成するために、請求項１の発明は、略長方体の一方の部分布団の表面の少なくとも一辺に形成されたヘムと、前記一方の部分布団に対向する、略長方体の他方の部分布団の表面の少なくとも一辺に形成されたヘムと、夫々のヘムに沿って取り付けられスライドファスナーを形成する歯列を一方端に有する一対の帯状体を分離して備えた連結可能な、一方の部分布団と、他方の部分布団とであって、各ヘムは部分布団本体から膨出部を形成され、前記スライドファスナーを形成する歯列を一方端に有する夫々の帯状体の他方端が前記膨出部の下側に沿って取付けられたことを特徴とする連結可能な部分布団である。
【００１０】
上記請求項１の発明の場合、一方の部分布団と他方の部分布団とは互いの対向するヘムの膨出部の下側に各々一方の帯状体と他方の帯状体とを覆い隠す状態と成している。即ち、一方の帯状体の歯列と，他方の帯状体の歯列とを連結してスライドファスナーを形成することにより、対向する夫々の部分布団のヘムからの膨出部により、取っ手付きスライド金具等を含むスライドファスナーを被覆している。    
【００１１】
請求項２の発明は、前記縁部の前記膨出部の下側に沿って他方端にて取付けられている前記スライドファスナーを形成する各々の前記歯列を一方端に有する夫々の前記帯状体の下方に、雌雄ファスナーを形成する雌ファスナーと雄ファスナーとが、互いに対向当接し得る各マチの位置に分離して取付けられることを特徴とする請求項１に記載の連結可能な一方の部分布団と他方の部分布団である。
【００１２】
上記請求項２の発明の場合、一方の部分布団と他方の部分布団とを、前記ヘムの前記膨出部の下側に沿って上方では連結部材のスライドファスナーにて、下方では連結部材の雌雄ファスナーにて夫々連結させることが可能な、一方の部分布団と他方の部分布団である。
【００１３】
請求項３の発明は、一方の部分布団と他方の部分布団とを、対向する各ヘムの膨出部とを互いに当接させると共に、上下二方向の連結部材にて連結してなることを特徴とする大型の布団である。
【００１４】
上記請求項３の発明の場合、一方の部分布団と他方の部分布団とをスライドファスナーと、雌雄ファスナーとにて連結されて成る大型の布団では、一方の部分布団と他方の部分布団との連結部は、互いの膨出部同士が押圧し合い突っ張り合って当接している直下にてスライドファスナーが被覆されている。そのために、各部分布団の連結部に上下方向から力が加えられても、この力に抗するように弾性力が働いている。そして、スライドファスナーも剥き出しでなく、覆われている。更に、連結部材であるスライドファスナーの下方にて、別の連結部材である雌雄のファスナーにて連結されている。即ち、一方の部分布団と他方の部分布団との連結部は、上下二方向に複数の連結部材により連結されているので、一方の部分布団と他方の部分布団との連結部が離れることが無くて、身体も挟まるようなことも無く、その心配も不要で、快適な睡眠が確保されて便利である。そして、大型の布団でも、移動や収納や布団干し等の場合には、大型の布団を構成する部分布団の連結部を分離できて、小さな部分布団に分けることが出来る。
【発明の効果】
【００１５】
以上説明したように請求項１の発明によれば、一方の部分布団と他方の部分布団とは互いの対向するヘムの膨出部の下側に各々一方の帯状体と他方の帯状体とを覆い隠す状態とすることが出来る。即ち、一方の帯状体の歯列と，他方の帯状体の歯列とを連結してスライドファスナーを形成することにより、対向する夫々の部分布団のヘムからの膨出部により、取っ手付きスライド金具等を含むスライドファスナーを被覆することが出来、睡眠時に、ファスナー等が身体に当接する不快感を防止出来る。
【００１６】
請求項２の発明によれば、一方の部分布団と他方の部分布団とを、前記ヘムの前記膨出部の下側に沿って設けられている、上下二方向の連結部材のうち、上方では連結部材のスライドファスナーにて、下方では連結部材の雌雄ファスナーにて夫々連結させることが可能であり、互いに厚みのある一方の部分布団と他方の部分布団との接続部を上下の二方向で確実に連結することが出来る。  
【００１７】
請求項３の発明によれば、一方の部分布団と他方の部分布団とをスライドファスナーと、雌雄ファスナーとにて連結されて成る大型の布団では、一方の部分布団と他方の部分布団との連結部は、互いの膨出部同士が押圧し合い突っ張り合って当接している直下にてスライドファスナーが被覆されている。そのために、各部分布団の連結部に上下方向から力が加えられても、この力に抗するように弾性力が働いていると共に、スライドファスナーも剥き出しでなく覆われている。互いに厚みのある一方の部分布団と他方の部分布団との連結部は、上方のスライドファスナーと、下方の雌雄のファスナーとの、上下の二方向に複数の連結部材により連結されているので、一方の部分布団と他方の部分布団との連結部が離れることが無くて、身体も挟まるようなことも無く、その心配も不要で、快適な睡眠が確保されていて便利である。更に、大型の布団でも、移動や収納や布団干し等の場合には、大型の布団を構成する部分布団の連結部を分離できて、小さな部分布団に分けることが出来るために、一人での作業が容易にできて便利である。
【発明を実施するための最良の形態】
【００１８】
以下、本発明の実施の形態を図面を参照しながら詳細に説明する。
【００１９】
図１〜図６は、本発明の第１の実施の形態に係り、図１は一方の部分布団の外観斜視図である。図２は、図１のＡ―Ｂ―Ｃ線の断面図、図３は他方の部分布団の外観斜視図である。図４は、図３のＤ―Ｅ―Ｆ線の断面図、図５は、一方の部分布団と、他方の部分布団とを連結させた大型の布団の外観斜視図である。図６は、図５のＧ−Ｇ線の断面図である。
【００２０】
図１を参照して、一方の部分布団１ａは、表地４と裏地５とがマチ６で繋がれた略長方体の布団で、表面と裏面の各々の四隅は丸くＲを取ってある。内部には綿、ポリウレタンフォーム、発泡ポリエチレン、発泡ポリプロピレン等の軟質弾性部材１２が収容されている。表地４とマチ６、マチ６と裏地５は、夫々表地４又は裏地５の平面方向の周縁に突出してへム（縁縫い）２を形成して接続されている。この他に、マチ６を設けない構成とするとヘム２は表地４と裏地５との間に直接接合した状態で形成される。
【００２１】
図１，図２を参照して、ヘム２の内、一方の長手方向では、ヘム膨出部２ａを設けている。これは、表地４の表地膨出端部４ａと、長手方向マチ６ａのマチ膨出端部６ｂとの間から突出している軟質弾性部材膨出部１２ａを、ヘム布２ｂにて外側から包み、ヘム布折返し端部上２ｃと、表地膨出端部４ａとを上方から重ね、ヘム布折返し端部下２ｄと、スライドファスナ１５の受け口側帯状本体１６ａの他方端１６ｃとを、マチ膨出端部６ｂに下から重ねて、縫合糸８ａにて縫合し、図２の紙面に垂直な方向に連続的な縫合部８を設け、一方の部分布団１ａの本体の一部において、膨出部２ａを形成している。尚、図示しないが、膨出部２ａにおいて、図２の紙面に垂直な方向のヘム布２ｂの手前側と先方側との両端部近傍にて、ヘム布２ｂを上下合わせて図２の紙面に平行な方向に前記縫合糸８ａにて、ヘム膨出部２ａのヘム布２ｂの両端部を縫合し、軟質弾性部材１２ａを収容している。
【００２２】
ところで、図１，図２を参照して、スライドファスナー１５を形成する受け口側帯状体１６の受け口側帯状本体１６ａの歯列１６ｆを有する一方端１６ｂであって、その手前端部には受け口１６ｅを有する箱１６ｄが固着され、それに続いて歯列１６ｆが固着されて長手方向に延在している。更に、この箱１６ｄに当接可能で、且つ、前記歯列１６ｆに一方の係合離脱溝１８ａにてスライド金具１８が摺動自在に遊嵌されている。前記箱１６ｄに当接したスライド金具１８の他方の係合離脱溝１８ｂは、前記箱１６ｄの受け口１６ｅに接続して、後述するスライドファスナー１５の差し込み側帯状体１７の蝶棒１７ｄを挿入可能とされている。（尚、受け口側帯状体１６の歯列１６ｆに遊嵌されている前記スライド金具１８の一方の係合離脱溝１８ａは、受け口側帯状本体１６ａの前記一方端１６ｂの歯列１６ｆ先端部にて、図示せぬストッパ部材により抜け防止が図られている。）
【００２３】
そして、長手方向マチ６ａにおいて、ヘム膨出部２ａの下側に沿って他方端１６ｃにて取付けられているスライドファスナー１５を形成する受け口側帯状体１６の下方に平行に、雌雄ファスナー２１を形成する雌ファスナー２２が設けられている（ここでは４箇所）。雌ファスナー２２は一方の平面上に密集して生えている細い繊維のリング状の突起部２３を有していて、後述する雄ファスナ２５の他方の平面上に密集して起立して生えている小型のフック状の突起部２６と合わさり、互いに引掛り合い固着し合う。そして、この雌雄ファスナー２１は、端部から引掛り合いを外して引き剥がすことが出来、繰返し使用可能な連結部材である。（図２、図４参照）
【００２４】
図３を参照して、他方の部分布団１ｂは、表地４´と裏地５´とがマチ６´で繋がれた略長方体の布団で、表面と裏面の各々の四隅は丸くＲを取ってある。内部には綿、ポリウレタンフォーム、発泡ポリエチレン、発泡ポリプロピレン等の軟質弾性部材１２´が収容されている。表地４´とマチ６´、マチ６´と裏地５´は、夫々表地４´又は裏地５´の平面方向の周縁に突出してへム（縁縫い）２´を形成して接続されている。この他に、マチ６´を設けない構成にするとヘム２´は表地４´と裏地５´との間に直接接合した状態で形成される。
【００２５】
図３，図４を参照して、ヘム２´の内、一方の長手方向では、ヘム膨出部２ａ´を設けている。これは、表地４´の表地膨出端部４ａ´と、長手方向マチ６ａ´のマチ膨出端部６ｂ´との間から突出している軟質弾性部材膨出部１２ａ´を、ヘム布２ｂ´にて外側から包み、ヘム布折返し端部上２ｃ´と、表地膨出端部４ａ´とを上方から重ね、ヘム布折返し端部下２ｄ´と、スライドファスナ１５の差し込み側帯状本体１７ａの他方端１７ｃとを、マチ膨出端部６ｂ´に下から重ねて、縫合糸８ａ´にて縫合し、図４の紙面に垂直な方向に連続的な縫合部８´を設けて、他方の部分布団１ｂの本体の一部において、膨出部２ａ´を形成している。尚、図示しないが、膨出部２ａ´において、図４の紙面に垂直な方向のヘム布２ｂ´の手前側と先方側との両端部近傍にて、ヘム布２ｂ´を上下合わせて、図４の紙面に平行な方向に前記縫合糸８ａ´にて、ヘム膨出部２ａ´のヘム布２ｂ´の両端部を縫合し、軟質弾性部材１２ａ´を収容している。
【００２６】
ところで、図３、図４を参照して、スライドファスナー１５を形成する差し込み側帯状体１７の差し込み側帯状本体１７ａの歯列１７ｆを有する一方端１７ｂであって、その手前端部には前記受け口１６ｅに挿入される蝶棒１７ｄが固着され、それに続いて歯列１７ｆが固着されて長手方向に延在している。更に、スライドファスナー１５の差し込み側帯状体１７の蝶棒１７ｄは、前記箱１６ｄに当接した前記スライド金具１８の他方の係合離脱溝１８ｂと、前記箱１６ｄの受け口１６ｅとに挿入され（図１、図３参照）、前記スライド金具１８の取っ手１８ｃを手指にて摘まんで前記スライド金具１８を摺動させて、受け口側帯状体１６の歯列１６ｆと、差し込み側帯状体１７の歯列１７ｆとを噛合わせてスライドファスナー１５を連結させ得る。（尚、差し込み側帯状体１７の歯列１７ｆに遊嵌されている前記スライド金具１８の他方の係合離脱溝１８ｂは、差し込み側帯状本体１７ａの前記一方端１７ｂの歯列１７ｆ先端部にて、図示せぬストッパ部材により抜け防止が図られている。）
【００２７】
そして、長手方向マチ６ａ´において、ヘム膨出部２ａ´の下側に沿って他方端１７ｃにて取付けられているスライドファスナー１５を形成する差し込み側帯状体１７の下方に平行に、雌雄ファスナー２１を形成する雄ファスナー２５が設けられている（ここでは４箇所）。雄ファスナー２５は他方の平面上に密集して起立して生えている小型のフック状の突起部２６を有していて、前記したように雌ファスナ２２の一方の平面上に密集して生えている細い繊維のリング状の突起部２３と合わさり、互いに引掛り合い固着し合う。そして、この雌雄ファスナー２１は、端部から引掛り合いを外して引き剥がすことが出来、繰返し使用可能な連結部材である。（図２、図４参照）
【００２８】
図５、図６を参照して、一方の部分布団１ａの表地４と他方の部分布団１ｂの表地４´とを表面に配置して、一方の部分布団１ａと他方の部分布団１ｂとを連結して大型の布団１を形成させる。一方の部分布団１ａの長手方向のマチ６ａと、他方の部分布団１ｂの長手方向のマチ６ａ´とを向き合わせて、次に、片方の手にて一方の部分布団１ａのスライドファスナー１５を形成する受け口側帯状体１６において、前記箱１６ｄに前記スライド金具１８を当接させつつ、前記箱１６ｄと前記スライド金具１８とを摘まみ、前記スライド金具１８の他方の係合離脱溝１８ｂと、これに連続する前記箱１６ｄの受け口１６ｅとがほぼ一直線上になるように支持し、他の片方の手にて前記スライドファスナー１５を形成する差し込み側帯状体１７の蝶棒１７ｄを摘まみ、前記蝶棒１７ｄを前記他方の係合離脱溝１８ｂと前記受け口１６ｅとに挿入させる。
【００２９】
次に、ヘム膨出部２ａを片一方の手にて押さえておいて、他の片方の手指にて、前記スライド金具１８の取っ手１８ｃを摘まんで前記スライド金具１８を摺動させて、前記受け口側帯状体１６の歯列１６ｆと、前記差し込み側帯状体１７の歯列１７ｆとを噛合わせてスライドファスナー１５を連結する。即ち、互いに表地４，４´を上方に向けて、一方の部分布団１ａと他方の部分布団１ｂとをスライドファスナー１５にて連結したことになる。
【００３０】
次に、一方の部分布団１ａのマチ６ａと他方の部分布団１ｂのマチ６ａ´とを圧着するように、長手方向の他のマチ６ｃと６ｃ´とを互いに近付ける方向に押圧する。これにより図６に示すように、一方の部分布団１ａと他方の部分布団１ｂとは互いに対向するヘム膨出部２ａ，２ａ´同士が押圧し合い、下方の受け口側帯状体１６と差し込み側帯状体１７とを覆い隠す状態と成し、歯列１６ｆ，１７ｆや取っ手１８ｃ付きスライド金具１８等を含むスライドファスナー１５を被覆している。このスライドファスナー１５の下方では長手方向マチ６ａ，６ａ´の各々の雌ファスナー２２と、雄ファスナー２５とが当接され、雌雄のファスナー２１が連結されて、大型の布団１が形成される。
【００３１】
この様に、一方の部分布団１ａと他方の部分布団１ｂとをスライドファスナー１５と、雌雄ファスナー２１とにて連結されて成る大型の布団１では、一方の部分布団１ａと他方の部分布団１ｂとの連結部は、スライドファスナー１５が連結されている直上にて、互いに対向するヘム膨出部２ａ，２ａ´同士が押圧し合い突っ張り合って当接しており、上下方向から力が加えられても、この力に抗するように弾性力が働いている。更に、互いに対向するヘム膨出部２ａ，２ａ´同士にてスライドファスナー１５が被覆されているので、この大型の布団１を使用して睡眠をとるために、連結部上に横臥しても、スライドファスナー１５も剥き出しでなく覆われており、適度な弾力性があり違和感が無く良い感触が得られ、そして、スライドファスナー１５と雌雄のファスナー２１との複数の連結部材（１５，２１）により連結されているので、一方の部分布団１ａと他方の部分布団１ｂとの連結部が離れることが無くて、身体も挟まるようなことも無く、その心配も不要で、快適な睡眠が確保されて便利である。
【００３２】
ここで、一方の部分布団１ａの長手方向のマチ６ａに、スライドファスナー１５の受け口側帯状体１６と、雌雄ファスナー２１の雌ファスナー２２とを設け、他方の部分布団１ｂの長手方向のマチ６ａ´にスライドファスナー１５の差し込み側帯状体１７と、雌雄ファスナー２１の雄ファスナー２５とを設けているが、この一方の部分布団１ａと他方の部分布団１ｂとを取り換えて設けても良く、或いは、互いに短い方のマチ６、６´に設けても良い。但し、連続的に縫合されスライドファスナー１５を形成する、受け口側帯状体１６の箱１６ｄの取付け方向と、差し込み側帯状体１７の蝶棒１７ｄの取付け方向とを一致させながら対向するヘム膨出部２ａ，２ａ´の下方部位に分離逢着する必要がある。更に、雌雄ファスナー２１を形成する、雌ファスナー２２と雄ファスナー２５とが対向当接し得るマチ６、６´の位置に分離取付けする必要もある。
【００３３】
以上、本発明の実施の形態を説明したが、本発明の範囲は、これに限定されるものではなく、本発明の要旨を逸脱しない範囲内において種々変更を加え得ることは勿論である。
【産業上の利用可能性】
【００３４】
本発明は家庭用品の寝具の布団を製造、販売する産業分野や、病院やホテル業界で利用することが出来る。
【図面の簡単な説明】
【００３５】
【図１】本発明に係る一方の部分布団の外観斜視図である。
【図２】図1のＡ―Ｂ―Ｃ線の断面図である。
【図３】本発明に係る他方の部分布団の外観斜視図である。
【図４】図３のＤ―Ｅ―Ｆ線の断面図である。
【図５】本発明に係る一方の部分布団と、他方の部分布団とを連結させた大型の布団の外観斜視  図である。
【図６】図５のＧ−Ｇ線の断面図である。
【符号の説明】
【００３６】
１…大型の布団、１ａ…一方の部分布団、１ｂ…他方の部分布団、２…ヘム（縁縫い）、２ａ…ヘム膨出部、２ｂ…ヘム布、４…表地、６…マチ、６ａ…長手方向マチ、８…縫合部、１２…軟質弾性部材、１２ａ…軟質弾性部材膨出部、１５…スライドファスナー、１６…受け口側帯状体、１６ｄ…箱、１６ｆ，１７ｆ…歯列、１７…差し込み側帯状体、１７ｄ…蝶棒、１８…スライド金具、２１…雌雄ファスナー、２２…雌ファスナー、２５…雄ファスナー。
【図１】
2007082669.tif 000003
【図２】
2007082669.tif 000004
【図３】
2007082669.tif 000005
【図４】
2007082669.tif 000006
【図５】
2007082669.tif 000007
【図６】
2007082669.tif 000008